(57)【要約】【課題】  窓枠取付けの際に位置調整及び固定が容易な固定金具と固定方法を提供する。【解決手段】  固定金具は第１金具と第２金具とからなる。第１金具は、窓枠の横枠と縦枠の基壁の外側面に設けた一対の係止縁に各枠長手方向に摺動自在に係止される係止部と、その係止部に対して一定角度の傾斜面に沿って窓開口中心から遠ざかる方向に延出する第１結合部とを有する。第２金具は、窓開口枠の屋外側面に第１ネジで固着される固着部と、その固着部に対して第１結合部と等しい角度の傾斜面に沿って各枠の長手方向に延出して第１結合部に重合可能な第２結合部とを有する。第１結合部と第２結合部の一方には長孔が、他方にはその長孔に挿通した第２ネジをねじ込み得る孔がそれぞれ設けられ、第２金具の固着部には第１ネジを貫通し得る長孔が設けられている。【選択図】      図７
2005036533.tif 000002
【特許請求の範囲】
【請求項１】
第１金具と第２金具とからなり、
第１金具は、窓枠の横枠と縦枠の外側部分に各枠の長手方向に摺動自在に係止される係止部と、その係止部から各枠の長手方向に対して一定角度の傾斜面に沿って窓開口中心から遠ざかる方向に延出する第１結合部とを有し、
第２金具は、前記窓開口枠の屋外側面に第１ネジで固着される固着部と、その固着部から各枠の長手方向に対して一定角度の傾斜面に沿って屋内方向に延出して前記第１結合部に重ね合わせることができる第２結合部とを有し、
第１結合部と第２結合部の一方には長孔が、他方にはその長孔に挿通した第２ネジをねじ込み得る孔がそれぞれ設けられていることを特徴とするサッシ窓枠用固定金具。
【請求項２】
第１金具及び第２金具は、いずれも鋼板の切断及び曲げ加工により作られ、第１金具は両端部に係止部を有し、その両係止部の間に第１結合部が屈曲形成されており、前記両係止部が窓枠の縦枠又は横枠の外側面に形成された一対の係止縁で形成された溝に摺動自在に挿入され、前記縦枠又は横枠の係止縁を第１金具の両係止部と第１金具の第１結合部に第２ネジで仮結合された第２金具の第２結合部との間に挟持することにより窓枠に装着されることを特徴とする請求項１に記載されたサッシ窓枠用固定金具。
【請求項３】
第２金具の固着部には、第１ネジを貫通するための各枠の長手方向に対して直角方向に長軸を有する長孔が設けられていることを特徴とする請求項１又は２に記載されたサッシ窓枠用固定金具。
【請求項４】
（ａ）窓枠の縦枠及び横枠の少なくとも長手方向両端部付近に、請求項２又は３に記載されたサッシ窓枠用固定金具を、前記窓枠の縦枠及び横枠の係止縁を第１金具の両係止部と第１金具の第１結合部に第２ネジで仮結合された第２金具の第２結合部との間に挟持して装着し、
（ｂ）前記窓枠を窓開口枠の中に嵌合し、各固定金具の第２金具の固着部を前記窓開口枠の屋外側面に当接して、その窓枠の左右方向及び上下方向の位置調整をした後、各固着部の長孔に貫通した第１ネジを前記窓開口枠の屋外側面にねじ込んで固着し、
（ｃ）前記窓枠を少なくとも各固定金具の装着位置において屋内外方向に移動して位置調整をするとともに、第２ネジを完全に締めて第１金具と第２金具を堅固に結合すると同時に前記窓枠の左右方向、上下方向及び屋内外方向の位置を固定することを特徴とするサッシ窓枠の固定方法。
【発明の詳細な説明】
【技術分野】
【０００１】
本発明は、サッシ窓枠を建物躯体に取付けるために用いる固定金具及びその固定金具を用いて固定する方法に関する。
【背景技術】
【０００２】
従来、サッシ窓枠を建物躯体に取付けるためには、窓枠を構成する上下の横枠及び左右の縦枠を、建具又は嵌め殺しガラスを保持する基壁と、その基壁の屋外側端部から窓開口中心より離れる方向に延出する面付け壁とで断面ほぼＬ字形となるように形成し、矩形に連続する基壁で嵌合部を、その嵌合部の屋外側端部において矩形に連続する面付け壁で面付け部をそれぞれ構成して、前記嵌合部を建物躯体に形成された窓開口の中に嵌合するとともに、面付け部を建物躯体の屋外側面、通常は、建物躯体に一体に取付けられている窓開口枠の矩形に連続する屋外側面に押し付けた状態で、各面付け壁からネジを窓開口枠にねじ込んで固定している。
【０００３】
その場合、窓開口枠の屋外側面を構成する左右の柱とまぐさと窓台の屋外側面が完全な一つの垂直面上に存在するとは限らず、多少の位置ずれがあり、また、窓台の上面も完全な水平面を形成しているとは限らなず、多少の傾斜があるのが普通である。そのため、このような位置ずれや傾斜を有する窓開口枠に窓枠を取付ける際は、窓開口枠の屋外側面と各枠の面付け壁と間に楔状のスペーサ（調整材）を差し込んで、その面付け壁が一つの垂直面上に存在するように屋内外方向の位置調整をし、同時に各枠の基壁と窓開口枠の内周面との間に同様の楔状のスペーサ（調整材）を差し込んで、各基壁の左右方向及び上下方向の位置調整をした後、各枠の内周側から木ねじを窓開口枠までねじ込んで、窓枠を所定の位置に適切な状態で固定している。
【特許文献１】実公昭６０−６５５５号公報
【発明の開示】
【発明が解決しようとする課題】
【０００４】
従来技術では、上記のように、窓開口枠と窓枠との間には、窓開口枠の屋外側面と窓枠の面付け壁との間ばかりでなく、窓開口枠の内周面と窓枠の基壁との間にも、それぞれスペーサを押し込んで窓枠の屋内外方向、上下方向及び左右方向のそれぞれの位置調整と固定と行う必要があり、しかも、スペーサの厚みは窓枠のそれぞれ施工現場により異なるので、適正なスペーサを用意するのに多くの手間暇がかかり、さらに現場でスペーサを適当な位置で適当な量の差し込みを行うことは容易でなく、施工に時間がかかった。これは、第一には、従来の窓枠は面付け壁を有し、その面付け壁において窓枠を窓開口枠に固着すること、第二には、スペーサに窓枠の位置調整機能と固定機能の両機能を持たせたことに因るものである。
【０００５】
本発明は、上記の点に鑑みて成されたものであり、第一の課題は、窓枠の左右方向、上下方向及び屋内外方向の位置調整、並びに位置調整後の窓枠の固定が容易にできるようにした固定金具を提供することにある。
第二の課題は、上記固定金具を用いて迅速に窓枠の取付けができるようにした窓枠の固定方法を提供することにある。
【課題を解決するための手段】
【０００６】
本発明によるサッシ窓枠用固定金具は、上記第一の課題を解決するため、（ア）第１金具と第２金具とからなり、（イ）第１金具は、窓枠の横枠と縦枠の外側部分に各枠の長手方向に摺動自在に係止される係止部と、その係止部から各枠の長手方向に対して一定角度の傾斜面に沿って窓開口中心から遠ざかる方向に延出する第１結合部とを有し、（ウ）第２金具は、前記窓開口枠の屋外側面に第１ネジで固着される固着部と、その固着部から各枠の長手方向に対して一定角度の傾斜面に沿って屋内方向に延出して前記第１結合部に重ね合わせることができる第２結合部とを有し、（エ）第１結合部と第２結合部の一方には長孔が、他方にはその長孔に挿通した第２ネジをねじ込み得る孔がそれぞれ設けられていることを特徴としている。
【０００７】
請求項２の発明は、第１金具及び第２金具が、いずれも鋼板の切断及び曲げ加工により作られ、第１金具は両端部に係止部を有し、その両係止部の間に第１結合部が屈曲形成されており、前記両係止部が窓枠の縦枠又は横枠の外側面に形成された一対の係止縁で形成された溝に摺動自在に挿入され、前記縦枠又は横枠の係止縁を第１金具の両係止部と第１金具の第１結合部に第２ネジで仮結合された第２金具の第２結合部との間に挟持することにより窓枠に装着されることを特徴としている。
【０００８】
請求項３の発明は、第２金具の固着部に、第１ネジを貫通するための各枠の長手方向に対して直角方向に長軸を有する長孔が設けられていることを特徴としている。
【０００９】
本発明によるサッシ窓枠固定方法は、（ａ）窓枠の縦枠及び横枠の少なくとも長手方向両端部付近に、上記サッシ窓枠用固定金具を、縦枠及び横枠の外側部分に第１金具の係止部と第１金具の第１結合部に第２ネジで仮結合された第２金具の第２結合部との間に挟持して装着し、（ｂ）窓枠を窓開口枠の中に嵌合し、各固定金具の第２金具の各固着部を窓開口枠の屋外側面に当接して、その窓枠の左右方向及び上下方向の位置調整をした後、各固着部の長孔に貫通した第１ネジを前記窓開口枠の屋外側面にねじ込んで固着し、（ｃ）窓枠を少なくとも各固定金具の装着位置において屋内外方向に移動して位置調整をするとともに、第２ネジを完全に締めて第１金具と第２金具を堅固に結合すると同時に窓枠を左右方向、上下方向及び屋内外方向に対して固定することを特徴としている。
【発明の効果】
【００１０】
請求項１の発明に係るサッシ窓枠用固定金具は、第１金具の第１結合部と第２金具の第２結合部が同じ傾斜面に沿って延在して長孔に貫通された第２ネジで仮結合されて、第１金具と第２金具を相対的に屋内外方向及び上下方向に移動して位置調整が可能であり、第１金具が窓枠の横枠及び縦枠にそれぞれ長手方向に摺動自在に保持され、第２金具が固着部を窓開口枠の屋外側面に当接して左右方向及び上下方向の位置調整をして第１ネジで固着することができるので、まず、窓枠の左右方向及び上下方向の位置調整後に第２金具を窓開口枠に第１ネジで固定し、続いて、窓枠の屋内外方向の位置調整をした後、第２ネジで第１金具と第２金具を完全に結合することにより、寸法不特定のスペーサによる面倒な位置調整及び木ネジによる固定をすることなく、窓枠の横枠と縦枠の双方においてほぼ同一の構造の固定金具の同様な調整作業と結合作業により、容易に効率良く適正な位置に固定することができ、施工性が著しく向上する。
【００１１】
請求項２の発明によれば、所要の強度を有する固定金具を容易廉価に製造することができ、かつ、窓枠には固定金具装着のための最小限の空間を確保すれば良いので、窓枠の見附方向寸法の増大を招かないから、既設の窓開口枠をそのまま用いることができる。
【００１２】
請求項３の発明によれば、窓枠の取付の際に、第２金具を先に窓開口枠に固着して窓枠が安定した状態で、窓枠の位置調整作業を行うことができる。
【００１３】
また、請求項４の発明に係るサッシ窓枠固定方法は、固定金具の縦枠と横枠の所定位置への固定金具の装着、窓枠の窓開口への嵌合、窓枠の左右方向及び上下方向の位置調整後の第２金具の第１ネジによる固着、窓枠の屋内外方向の位置調整後の第１金具と第２金具の第２ネジによる結合により、建物駆体に対して適切な位置に簡単迅速にサッシ窓枠の取付けを行うことが可能である。
【発明を実施するための最良の形態】
【００１４】
本発明を実施する場合は、窓枠に面付け壁を設けない。固定金具は第１金具と第２金具とに分割して構成される。固定金具は窓枠を構成する縦枠及び横枠の長手方向に隔てた複数箇所に装着される。第１金具は窓枠の各枠の基壁の外側面に、一例として一対の係止縁又は溝により、各枠の長手方向に摺動自在に係止される係止部と、その係止部から所定方向に一定の傾斜角度をもって延出する第１結合部を有する。第２金具は窓開口枠の屋外側面に固着される固着部と、その固着部から所定方向に一定の傾斜角度をもって延出する第２結合部を有する。第１金具及び第２金具は、同一の傾斜面に沿って延在する第１結合部及び第２結合部の一方に設けた長孔に貫通したネジを他方に設けた孔又はねじ孔にねじ込むことにより、仮結合又は本結合が可能である。仮結合状態において、第１金具と第２金具の屋内外方向の相対的移動及び縦枠においては左右方向、横枠においては上下方向の相対的移動が可能である。第２金具を窓開口枠の屋外側面に固着し、各固定金具を介して窓枠の左右方向及び上下方向の位置調整並びに屋内外方向の位置調整をした後、ネジにより第１金具と第２金具を完全に結合するようにしたことにより、ほぼ同一構成を有する複数個の固定金具を同様の要領で窓枠の所要の位置に装着し、同様の要領で位置調整及び結合の作業を行って、窓枠を窓開口枠の適正位置に固定することができる。すなわち、本発明は、固定金具を第１金具と第２金具とに分割構成することにより、窓枠の窓開口枠に対する位置調整と、調整後の固定とを分離して行う点に特徴を有する。
第１金具及び第２金具は、いずれも鋼板の切断加工及び曲げ加工により作ることが、所要の強度確保及び廉価で容易な製作の実現のために有利であり、さらに、窓枠に装着するために薄い空間を形成するだけで良いので、窓枠の位置調整後に第１金具と第２金具を結合するネジを完全に締めるためのドライバ挿入隙間を容易に確保することが可能であるとともに、窓枠の見附方向寸法の増大を招かないから、既設の窓開口枠をそのまま用いることができる。
以下に、具体的構成及び作用について、実施例に基づいて詳細に説明する。
【実施例】
【００１５】
図１は本発明による固定金具を用いて窓枠を取付けた窓の縦断面図、図２は同じく横断面図、図３は固定金具の取付位置の一例を示す窓枠の正面図、図４は固定金具の一つの構成要素である第１金具の展開図であって、（ａ）は正面図、（ｂ）は平面図、（ｃ）は斜視図、図５は固定金具のもう一つの構成要素である第２金具の展開図であって、（ａ）は正面図、（ｂ）は平面図、（ｃ）は斜視図である。図６は二つの金具を結合してなる固定金具の正面図、図７は図２の右側の縦枠に取付けられた固定金具の詳細を示す一部拡大断面図である。
【００１６】
図１及び図２において、１は窓開口枠であり、従来と同様に、まぐさ１１と、窓台１２と、左右の柱１３，１４とを矩形に接続して構成されている。また、２は窓枠であり、従来と同様に、上下の横枠２１，２２と左右の縦枠２３，２４を従来技術を用いて矩形に接続して構成されている。ただし、本発明に係る窓枠２は、従来品と異なって、建具又は嵌め殺しガラスを保持するための角筒状の基壁２１ｗ，２２ｗ；２３ｗ，２４ｗは有しているが、窓開口枠１の屋外側面に面付けされる面付け壁は有していない。これにより、窓枠を窓開口枠に嵌合した後、屋内外方向に限られた範囲内で移動することが可能にされている。
【００１７】
そして、各枠２１，２２；２３，２４の外側面、すなわち、窓開口中心と反対側の面には、屋内外方向に隔てた位置で対向する係止縁２１ａ，２１ｂ；２２ａ，２２ｂ；２３ａ，２３ｂ；２４ａ，２４ｂが突設されていて、各対の係止縁と基壁の背面との間に、後述される第１金具３Ａの係止部を挿入し得る溝２１ｃ，２２ｃ，２３ｃ，２４ｃが形成されている。係止縁２１ａ，２１ｂ，…２４ａ，２４ｂはいずれも同じ肉厚を有している。さらに、一対の係止縁の少なくとも一方の係止縁には各枠の外方向、すなわち、窓枠の開口中心から遠ざかる方向に延長された部分が設けられて、一対の係止縁の外側に後述されるように、固定金具の第１結合部３３及び第２結合部３６が収容されるに足る空間２１ｄ，２２ｄ；２３ｄ，２４ｄが構成されている。各枠２１，２２；２３，２４の窓開口枠１の内周面に対する取付け安定性向上のため、一対の係止縁２１ａ，２１ｂ；２２ａ，２２ｂ；２３ａ，２３ｂ；２４ａ，２４ｂよりも屋外側に係止縁の延長端と等しい距離まで延びる当接縁２１ｅ，２２ｅ；２３ｅ，２４ｅが設けられている。
【００１８】
上下の横枠２１，２２及び左右の縦枠２３，２４には、前記各対の係止縁２１ａ，２１ｂ〜２４ａ，２４ｂ及び溝２１ｄ，２２ｄ；２３ｄ，２４ｄを利用して、本発明に係る固定金具３が予め、すなわち、窓枠２を開口枠１に取付ける前に、装着されている。固定金具３は、図３に一例を示すように、少なくとも各枠の長手方向両端部付近に、各枠の長さが長いために後述される固定金具による補強効果が望まれる場合は長手方向両端部付近と中間位置に、備えられる。
【００１９】
固定金具３は、図４に例示された第１金具３Ａと、図５に例示された第２金具３Ｂとからなっている。第１金具３Ａは剛性を有する金属板、例えば鋼板で作られ、本体３１の左右両側辺に平行に延在する係止部３２ａ，３２ｂを有し、その間に両係止部を結ぶ平面に対して直角方向片側に延び、かつ、両係止部の平行線に対して一定角度で傾斜する帯状の第１結合部３３を有している。一定角度の具体値は任意であるが、図示の例は、両係止部の平行線に対して４５度である。
【００２０】
第１金具３Ａの製造方法は限定されないが、一例を説明すると、矩形の鋼板の一辺の一端部付近からその一辺に直角な方向に反対側の辺までの三分の二程度の距離まで切線を設け、その切線の両端部と一辺の他端部付近とを結ぶ三角形部分を、切線の終点と一辺の他端部付近とを結ぶ直線に沿ってその鋼板に対して直角になるまで折曲げ、その折曲げられた三角形部分を折曲げ部から上記窓枠２の空間２１ｄ，２２ｄ；２３ｄ，２４ｄの深さ、すなわち、各枠の係止縁の延長部分の長さと等しい距離だけ離れた位置で切除して、台形の第１結合部３３が形成されている。そして、その第１結合部３３のほぼ中央には、その結合部の平面に対して直角方向に貫通された真円のねじ孔又はネジをねじ込むことができる孔（以下には単に孔という。）３４が形成されている。
【００２１】
第２金具３Ｂも同様の金属板、例えば鋼板で作られ、Ｌ字形の下辺部で固着部３５が構成され、その固着部の左右いずれか一方側からその固着部３５に対して第１金具の第１結合部３３の角度と等しい角度、図示の例では４５度で傾斜する帯状の第２結合部３６が構成されている。第２結合部３６の幅は、第１金具３Ａの第１結合部３３の幅と等しくされている。そして、固着部３５と第２結合部３６の幅方向中央にそれぞれ，ねじを貫通できる長孔３７，３８が各結合部の長手方向長軸が一致するように形成されている。
【００２２】
第１金具３Ａと第２金具３Ｂは、図６に例示するように、１個のビス４（第２ビスに相当）で結合することができる。すなわち、図４（ｃ）に示されている第１金具３Ａの第１結合部３３に第２金具３Ｂの第２結合部３６を重なり合わせ、第１結合部３３の孔３４と第２結合部３６の長孔３８とを合致させて、長孔３８からビス４を挿通し、孔３４に適当量ねじ込むことにより、第１金具３Ａと第２金具３Ｂが結合される。この場合、第１金具３Ａの本体３１と第２金具３Ｂの固着部３５との間には、窓枠ＷＦの係止縁２１ａ，２１ｂ〜２４ａ，２４ｂの肉厚よりも０．０５〜０．１０ｍｍ程度狭い隙間が形成されるように構成されている。また、ビス４のねじ込み量を小さくすることにより、第１結合部３３と第２結合部３６を長孔３８の長軸方向及びその長軸に対して直角方向に相対移動することができ、従って、第１金具３Ａと第２金具３Ｂは、図６において左右方向（窓枠の屋内外方向に相当）と上下方向（窓枠の高さ方向又は左右方向に相当）に相対移動が可能である。
【００２３】
図４ないし図６に示されている固定金具３は、図２の右側の縦枠２４（図７の縦枠２４）、すなわち、屋外側から見た窓枠ＷＦを示す図３の右側の縦枠２４に取付けられるものの形状を示しているが、図３の左側の縦枠２３に取付けられる固定金具３Ｅは、右側の縦枠２４に取付けられる固定金具３と左右対称形に作られ、また、図３の上下の横枠２１，２２に取付けられる固定金具３´，３´Ｅは、図４，５に示された右縦枠用固定金具３を左９０度又は右９０度に反転した形で用いられる。
【００２４】
上記形態を有する固定金具の窓枠に対する装着方法を、図２の右側の固定金具の場合について、すなわち、屋外側から見た窓枠ＷＦを示す図３の右側の縦枠に取付けられたものについて、図７を用いて説明する。
矩形に枠組みされた窓枠においては、縦枠２４の溝２４ｃが縦枠の上下端面で開放されているので、その溝の上下いずれか一方又は両方の端部から第１金具３Ａを挿入し、各端部から所定距離まで移動した後、溝２４ｃから外に突出している第１結合部３３の上面に第２金具３Ｂの第２結合部３６を重ね合わせ、長孔３８に貫通したビス４を孔３３に緩くねじ込むことにより、その縦枠の一対の係止縁２４ａ，２４ｂを、第１金具３Ａの係止部３２ａ，３２ｂと第２金具３Ｂの第２結合部３６とで挟持した状態で仮固定する。
【００２５】
一方、上下の横枠２１，２２の溝２１ｃ，２２ｃは、縦枠２３，２４の基壁により遮蔽されているので、第１金具３Ａをその溝に挿通することができない。そこで、横枠の係止縁２１ａ，２１ｂ；２２ａ，２２ｂを横枠の長手方向任意の位置において切除して切欠（不図示）が形成され、その切欠から第１金具の一対の係止部３２ａ，３２ｂを溝２１ｃ，２２ｃに挿入して、その第１金具３Ａを横枠の長手方向端部から所定位置まで移動した後、縦枠の場合と同様に、その第１金具３Ａに第２金具３Ｂをビス４で仮結合し、かつ、横枠２１，２２に仮固定する。
【００２６】
固定金具３，３Ｅ；３´，３´Ｅの窓枠に対する装着方法は、上記のように枠組み後に各枠に取付ける方法のほか、枠組み前に各枠に取付けることも可能である。この場合は、横枠の係止縁に切欠を設ける必要がないことはいうまでもない。
【００２７】
続いて、各枠に複数個ずつの固定金具３，３Ｅ；３´，３´Ｅを装着した窓枠２を、その固定金具を用いて窓開口枠１に固定する方法について、主として図７を参照しながら説明する。
まず、窓枠２を窓開口枠１の中に嵌合し、各固定金具の第２金具３Ｂの固着部３５を窓開口枠１の屋外側面、すなわち、縦枠２３，２４の固定金具３Ｅ，３においては柱１３，１４、上枠１１の固定金具３´，３´Ｅにおいてはまぐさ１１、下枠２の固定金具３´，３´Ｅにおいては窓台１２のそれぞれの屋外側面に当接して窓枠を安定させた状態で、窓枠を左右方向及び上下方向に移動して窓枠の窓開口枠に対する位置決めを行う。この場合の位置決めは精密でなくても良い。そして、非精密位置決めをした状態で、各固定金具の第２金具３Ｂの固着部３５の長孔３７から木ねじ５（第１ネジに相当）を窓開口枠１（柱、まぐさ、窓台）にねじ込んで、それぞれの第２金具３Ｂを窓開口枠１に仮固定する。
【００２８】
次に、窓枠２を左右及び上下方向に僅かに移動して、下枠２２が完全な水平になり、縦枠２３，２４が完全な垂直になるように水平及び垂直のレベル調整を行う。この場合、各固定金具の木ねじ５は第２金具３Ｂの長孔３７に対してはその長軸方向及びこれと直角な方向に摺動可能であり、上下の横枠２１，２２の固定金具における第２金具の固着部３５の長孔３７は長軸が垂直になっているので、窓枠の位置調整が可能であり、そのとき、第２金具の固着部３５が長孔３７の範囲内で木ねじ５に対して移動する。このレベル調整により窓枠の左右方向及び上下方向の位置決めが適正化された後、各固定金具の固着部における木ねじを完全に締める。
【００２９】
次に、窓台１２の上面と下枠２２との間に楔状のスペーサ６1 を差し込んで下枠２２の窓台１２に対する高さを固定する。
【００３０】
続いて、窓枠２の少なくとも４コーナー部、すなわち、縦枠と横枠の接続部付近において窓枠に屋内外方向の力を加えて、窓枠の屋内外方向位置を調整する。そのとき、各固定金具のビス４は第２金具３Ｂの第２結合部３６の長孔３８に対してはその長軸方向及びこれと直角な方向に摺動可能であるので、第２結合部３６の長孔３８の範囲内で屋内外方向の任意の位置まで調整可能である。この調整の際に、各固定金具における第２金具３Ｂから離間した第１金具３Ａを、その第１結合部３３が第２金具の第２結合部３６に当接するまで縦枠の溝２３ｃ，２４ｃ又は横枠の溝２１ｃ，２２ｃに沿って移動した後、各枠の屋外側の係止縁２１ａ，２２ａ，２３ａ，２４ａと開口枠の内周面との間で屋外側に開放されている隙間からねじ回し工具（ドライバ）のビットを挿入し、ビス４を完全に締めて第１金具３Ａと第２金具３Ｂを本結合し、かつ、各枠２１〜２４を窓開口枠１に固定する。  
【００３１】
その後、各縦枠２３，２４と柱１３，１４の間及び上枠２１とまぐさ１１の間に、各枠の木ねじ貫通位置を含む領域において、下部スペーサ６1 と同様のスペーサ６2 ，６3 ，６4 を差し込んで、各枠の位置を固定する。この場合のスペーサ６1 〜６4 は、従来品のように位置調整機能と固定機能を果たすのではなく、固定金具により取付け位置を調整された窓枠を単にその位置に固定するだけの機能を果たす。
【００３２】
最後に、各枠２１〜２４の基壁の内周面の屋内側寄りの位置であってスペーサ６1 〜６4 に対応する所定位置から第３ビスに相当する木ねじ７をスペーサ６1 〜６4 に貫通し、窓開口枠１までねじ込んで、窓枠２を完全に窓開口枠１に固定する。
【００３３】
図１，２及び図７において、８は、窓枠固定後に各固定金具の第２金具の固着部３５をその屋外側面において被覆するように、まぐさ１１、窓台１２及び柱１３，１４の屋外側面から各枠の基壁の外側面まで延長させて貼付けられた防水シートであり、９ａ，９ｂは、各枠の屋外側端面から建物の外装材１０まで延在する幅を備えた額縁であり、背面に備えた一対の係止縁の弾性的嵌着により取付けが容易にできるようにしてあり、窓枠の装飾性向上と、外装材見切りの収容による防水性向上の機能を併有している。
【００３４】
固定金具の第１金具３Ａを窓枠の各枠の外側部分に摺動自在に備えるには、上述された一対の係止縁により溝を形成し、これに両端の係止部を挿入して係止する構造に限らず、各枠の長手方向に摺動自在に各枠に保持することができる任意の形状で実現することができる。また、固定金具の第１結合部と第２結合部の傾斜角度は、調整のための移動量を最小限にするため４５度が最も好ましいが、両者等しい角度であれば、４５度以外の任意の角度でも良い。また、ビスが先に挿入される結合部に長孔が設けられ、ビスが最後にねじ込まれる孔が真円であれば、第１金具の結合部と第２金具の結合部の重なり合う位置関係はとくに制限されない。また、第１金具及び第２金具の形状、各枠に対する装着形態が対称形か否かはとくに制限されない。
【産業上の利用可能性】
【００３５】
本発明は、金属製、樹脂製のいずれを問わず、型材を組んで構成される窓枠を窓開口枠に嵌合し、その窓開口枠の屋外側面の所定の位置に固定する場合に適用可能である。
【００３６】
また、図面には、引違い戸ｄ１，ｄ２及び網戸ｄ３が建て付けられている窓枠２が示されているが、本発明は、建具のない嵌め殺しガラスを保持する窓枠にも同様に適用可能である。
【図面の簡単な説明】
【００３７】
【図１】本発明による固定金具を用いて窓枠を取付けた窓の縦断面図。
【図２】同じく横断面図。
【図３】固定金具の取付位置の一例を示す窓枠の正面図。
【図４】固定金具の一つの構成要素である第１金具の展開図。
【図５】固定金具のもう一つの構成要素である第２金具の展開図。
【図６】図６は二つの金具を結合してなる固定金具の正面図。
【図７】図２の右側の縦枠に取付けられた固定金具の詳細を示す一部拡大断面図。
【符号の説明】
【００３８】
１      窓開口枠
１１    まぐさ
１２    窓台
１３，１４  柱
２      窓枠
２１，２２  上下の横枠
２３，２４  左右の縦枠
３，３Ｅ；３´，３´Ｅ  固定金具
３Ａ        第１金具
３１            本体
３２ａ，３２ｂ  係止部
３３            第１結合部
３４            孔
３Ｂ        第２金具
３５            固着部
３６            第２結合部
３７，３８      長孔
４      ビス（第２ネジ）
５      木ねじ（第１ネジ）
６      スペーサ
７      木ねじ
【図１】
2005036533.tif 000003
【図２】
2005036533.tif 000004
【図３】
2005036533.tif 000005
【図４】
2005036533.tif 000006
【図５】
2005036533.tif 000007
【図６】
2005036533.tif 000008
【図７】
2005036533.tif 000009